(57)【要約】  本発明は、ワイヤレス通信ネットワーク（１１）のデジタル・ベースバンド信号（４５）のサンプル（４７）を送信するためのデバイスおよび方法に関する。ベースバンド処理デバイス（１７）と遠隔無線ヘッド（１３）との間において、厳密性が緩和されたタイミング要件の下で、デジタル・ベースバンド信号（４５）の効率的送信を可能にするため、ワイヤレス通信ネットワーク（１１）のデジタル・ベースバンド信号（４５）のサンプル（４７）を送信するための送信構成（４９）が提供される。この送信構成（４９）は、デジタル・ベースバンド信号（４５）のサンプルを受信するように動作可能であるサンプル入力（５１）と、現在時刻（ｔ）を判断するように動作可能であるローカル・クロック（５７）と、現在時刻（ｔ）に応じて、少なくとも１つのサンプル（４７）と関連付けられた少なくとも１つのタイムスタンプ（５３）を生成するように動作可能であるタイムスタンプ生成器（５２）と、サンプル（４７）と少なくとも１つのタイムスタンプ（５３）とを含む信号（Ｓ）を出力するように動作可能である出力（５５）と、を備えており、少なくとも１つのベースバンド信号パターンを送信し、少なくとも１つのベースバンド信号パターンがいつ出力されるのかを示す指示（ｒ）を送信するように、構成されている。更に、対応する受信構成（６１）が提供される。
2015529028.tif 000002
【特許請求の範囲】
【請求項１】
ワイヤレス通信ネットワーク（１１）のデジタル・ベースバンド信号（４５）のサンプル（４７）を送信するための送信構成（４９）であって、
前記デジタル・ベースバンド信号（４５）の前記サンプルを受信するように動作可能であるサンプル入力（５１）と、
現在時刻（ｔ）を判断するように動作可能であるローカル・クロック（５７）と、
前記現在時刻（ｔ）に応じて、少なくとも１つのサンプル（４７）と関連付けられた少なくとも１つのタイムスタンプ（５３）を生成するように動作可能であるタイムスタンプ生成器（５２）と、
前記サンプル（４７）と前記少なくとも１つのタイムスタンプ（５３）とを含む信号（Ｓ）を出力するように動作可能である出力（５５）と、
を備えており、少なくとも１つのベースバンド信号パターンを送信し、前記少なくとも１つのベースバンド信号パターンがいつ出力されるのかを示す指示（ｒ）を送信するように構成されている、送信構成（４９）。
【請求項２】
前記ローカル・クロック（５７）が、好ましくはＧＰＳ信号（ＧＰＳ）である時間基準信号を受信するための時間基準受信機を含む時間基準回路（５９）を備えている、請求項１に記載の送信構成（４９）。
【請求項３】
前記タイムスタンプ（５３）は前記タイムスタンプ（５３）が関連付けられたサンプル（４７）の予定されている送信時刻を示す、および／または、少なくともいくつかのサンプル（４７）をそれらの予定されている送信時刻とは独立に出力するように動作可能である、請求項１または２に記載の送信構成（４９）。
【請求項４】
前記タイムスタンプ（５３）は、単一のサンプル（４７）、好ましくはそれぞれのサンプル（４７）と関連付けられたか、または、一群の連続するサンプル（４７）と関連付けられた、請求項１乃至３のいずれか１項に記載の送信構成（４９）。
【請求項５】
前記信号（Ｓ）が、複数のＲＦ送信デバイス（１３）によって送信される少なくとも１つの共通ベースバンド信号パターンと、単一のＲＦ送信デバイス（１３）によって送信される少なくとも１つの特定ベースバンド信号パターンとを含む、請求項１乃至４のいずれか１項に記載の送信構成（４９）。
【請求項６】
ワイヤレス通信ネットワークの信号（Ｓ）を送信するための方法であって、
デジタル・ベースバンド信号（４５）のサンプル（４７）を受信するステップと、
現在時刻（ｔ）を判断するステップと、
前記現在時刻（ｔ）に応じて、少なくとも１つのサンプル（４７）と関連付けられた少なくとも１つのタイムスタンプ（５３）を生成するステップと、
前記サンプル（４７）と前記少なくとも１つのタイムスタンプ（５３）とを含む信号（Ｓ）を出力するステップと、
を含んでおり、少なくとも１つのベースバンド信号パターンを送信するステップと、前記少なくとも１つのベースバンド信号パターンがいつ出力されるのかを示す指示（ｒ）を送信するステップとを含む、方法。
【請求項７】
請求項１乃至５のいずれか１項に記載の送信構成（４９）によって実行される、請求項６に記載の方法。
【請求項８】
ワイヤレス通信ネットワーク（１１）の信号（Ｓ）を受信するための受信構成（６１）であって、
デジタル・ベースバンド信号（４５）のサンプル（４７）と、前記サンプル（４７）の少なくとも１つと関連付けられた少なくとも１つのタイムスタンプ（５３）とを含む前記信号（Ｓ）を受信するように動作可能である信号入力（６３）と、
前記受信された信号（Ｓ）とは独立に動作しており、現在時刻（ｔ）を判断するように動作可能であるローカル・クロック（５７）と、
前記デジタル・ベースバンド信号（４５）を出力するための信号生成器（６７）であって、前記タイムスタンプ（５３）と前記現在時刻（ｔ）とに依存する時点において少なくとも１つのサンプル（４７）を出力するように動作可能である信号生成器（６７）と、
を備えており、少なくとも１つのベースバンド信号パターンを記憶するための信号パターン・バッファ（７５）を備え、前記少なくとも１つのベースバンド信号パターンがいつ出力されるのかを示す指示（ｒ）の受信に応じて、前記少なくとも１つのベースバンド信号パターンを出力するように動作可能である、受信構成（６１）。
【請求項９】
どのように前記デジタル・ベースバンド信号（４５）を少なくとも１つの更なるデジタル・ベースバンド信号（４５ａ）に変換すべきかを記述する１組の変換パラメータ（ｐ）を受信し、前記１組の変換パラメータ（ｐ）に応じて前記デジタル・ベースバンド信号（４５）を変換するように構成されている信号プロセッサ（６８）を備えている、請求項８に記載の受信構成（６１）。
【請求項１０】
ワイヤレス通信ネットワーク（１１）のデジタル・ベースバンド信号（４５）を復元するための方法であって、
前記デジタル・ベースバンド信号（４５）のサンプル（４７）と、前記サンプル（４７）の少なくとも１つと関連付けられた少なくとも１つのタイムスタンプ（５３）とを含む信号（Ｓ）を受信するステップと、
前記受信された信号（Ｓ）とは独立に動作しているローカル・クロック（５７）によって現在時刻（ｔ）を判断するステップと、
前記タイムスタンプ（５３）と前記現在時刻（ｔ）とに依存する時点において少なくとも１つのサンプル（４７）を出力することによって、前記デジタル・ベースバンド信号（４５）を生成するステップと、
を含んでおり、少なくとも１つのベースバンド信号パターンを信号パターン・バッファ（７５）に記憶するステップと、前記少なくとも１つのベースバンド信号パターンがいつ出力されるのかを示す指示（ｒ）の受信に応じて前記少なくとも１つのベースバンド信号パターンを出力するステップとを含む、方法。
【請求項１１】
請求項８または９に記載の受信構成によって実行される、請求項１０に記載の方法。
【請求項１２】
ワイヤレス通信ネットワーク（１１）のベースバンド処理デバイス（１７）と遠隔無線ヘッド（１３）とを相互に相互接続するためのゲートウェイ・デバイス（３３）であって、
請求項８または９に記載されている受信構成（６１）であって、サンプル（４７）とタイムスタンプ（５３）とを含むダウンリンク信号（Ｓ）を前記ベースバンド処理デバイス（１７）から受信して、前記受信された信号（Ｓ）から復元されたダウンリンク・デジタル・ベースバンド信号（４５）を前記遠隔無線ヘッド（１３）に転送するための受信構成（６１）と、
アップリンク・デジタル・ベースバンド信号（４５）を遠隔無線ヘッド（１３）から受信して、サンプル（４７）とタイムスタンプ（５３）とを含むアップリンク信号（Ｓ）を前記ベースバンド処理デバイス（１７）に出力するための送信構成（４９’）であって、前記デジタル・ベースバンド信号（４５）の前記サンプルを受信するように動作可能であるサンプル入力（５１）と、現在時刻（ｔ）を判断するように動作可能であるローカル・クロック（５７）と、前記現在時刻（ｔ）に応じて、少なくとも１つのサンプル（４７）と関連付けられた少なくとも１つのタイムスタンプ（５３）を生成するように動作可能であるタイムスタンプ生成器（５２）と、前記サンプル（４７）と前記少なくとも１つのタイムスタンプ（５３）とを含む信号（Ｓ）を出力するように動作可能である出力（５５）とを備えている送信構成（４９’）と、
を備えている、ゲートウェイ・デバイス（３３）。
【請求項１３】
ワイヤレス通信ネットワーク（１１）のベースバンド信号処理デバイス（１７）であって、前記通信ネットワーク（１３）の遠隔無線ヘッド（１３）に宛てられたダウンリンク・デジタル・ベースバンド信号（４５）のサンプル（４７）を生成し、前記遠隔無線ヘッド（１３）から生じるアップリンク・デジタル・ベースバンド信号（４５）のサンプル（４７）を受信するように動作可能であるベースバンド信号処理デバイス（１７）において、
前記ダウンリンク・デジタル・ベースバンド信号（４５）のサンプル（４７）を受信し、前記サンプル（４７）と前記タイムスタンプ（５３）とを含むダウンリンク信号（Ｓ）を出力するための請求項１乃至５のいずれか１項に記載の送信構成（４９）と、
サンプル（４７）とタイムスタンプ（５３）とを含むアップリンク信号（Ｓ）を受信して、前記アップリンク・デジタル・ベースバンド信号（４５）のサンプル（４７）を再生するための受信構成（６１’）であって、デジタル・ベースバンド信号（４５）のサンプル（４７）と前記サンプル（４７）の少なくとも１つと関連付けられた少なくとも１つのタイムスタンプ（５３）とを含む前記信号（Ｓ）を受信するように動作可能である信号入力（６３）と、前記受信された信号（Ｓ）とは独立に動作しており、現在時刻（ｔ）を判断するように動作可能であるローカル・クロック（５７）と、前記デジタル・ベースバンド信号（４５）を出力するための信号生成器（６７）であって、前記タイムスタンプ（５３）と前記現在時刻（ｔ）とに依存する時点において少なくとも１つのサンプル（４７）を出力するように動作可能である信号生成器（６７）と、を備えている、受信構成（６１’）と、
を備えている、ベースバンド信号処理デバイス（１７）。
【請求項１４】
好ましくはコンピュータ可読な記憶媒体であって、コンピュータ上で動作すると請求項６、７、１０または１１に記載の方法を実行するようにプログラムされているコンピュータ・プログラムを含む、コンピュータ・プログラム製品。
【発明の詳細な説明】
【技術分野】
【０００１】
本発明は、ワイヤレス通信ネットワークのデジタル・ベースバンド信号のサンプルを送信するためのデバイスおよび方法に関する。特に、本発明は、ワイヤレス通信ネットワークのための送信構成と、信号を送信するための方法と、ワイヤレス通信ネットワークのための受信構成と、ワイヤレス通信ネットワークのデジタル・ベースバンド信号を復元するための方法と、ワイヤレス通信ネットワークのベースバンド処理デバイスと遠隔無線ヘッドとを相互接続するためのゲートウェイ・デバイスと、前記方法を実行するためのコンピュータ・プログラム製品とに関する。
【背景技術】
【０００２】
本技術分野では、セルラ無線アクセス・ネットワークなどのワイヤレス通信ネットワーク用の基地局を、ベースバンド処理デバイスとそのベースバンド処理デバイスに接続されている少なくとも１つの無線ヘッドとに分割することが知られている。典型的に、基地局は、ベースバンド処理デバイスに接続されている複数の無線ヘッドのクラスタを備えている。通常は、遠隔無線ヘッドをベースバンド処理デバイスに接続するために、光リンクが用いられる。ベースバンド処理デバイスと無線ヘッドとの間の通信のために用いられるインターフェースは、特定されている（例えば、コモン・パブリック・ラジオ・インターフェース（ＣＰＲＩ）またはオープン・ベース・ステーション・アーキテクチャ・イニシアティブ（ＯＢＳＡＩ））。
【０００３】
ベースバンド処理デバイスと無線ヘッドとの間の既存のインターフェースは、遅延が制御された状態で同期接続を運ぶのに用いられる高パフォーマンスの接続に基づく。既存のインターフェースは、ベースバンド処理デバイスと遠隔無線ヘッドとを相互に同期させるために、通信媒体（例えば光ファイバ）を用いる。これらのインターフェースにより、ベースバンド処理デバイスは、サンプリング時間Ｔｓでサンプルを生成し、同期接続を経由してそれらのサンプルを送る。受信機の側では、同期クロックが送信媒体から復元され、遠隔無線ヘッドのデジタル・アナログ・コンバータ（ＤＡＣ）を制御するのに用いられる。同期を維持するためには、同期接続上での伝搬遅延が、サンプリング時間Ｔｓよりも小さくなければならない。同期接続の品質は、サンプリング・クロックの正確な復元を可能にするのに十分なほど優れてなければならない。
【発明の概要】
【発明が解決しようとする課題】
【０００４】
既知のインターフェースの短所は、同期接続における遅延に対するそれらのインターフェースの感度に存在する。大きな遅延または遅延ジッタは、遠隔無線ヘッドの適切な動作を妨害する可能性があり得る。特に、遠隔無線ヘッドの受信機は、サンプリング・クロックを正確に再生することができないことがあり得る。結果的に、１０ギガビットのイーサネットなどのパケット交換網との接続においては、既知のインターフェースを用いるのは困難である。
【０００５】
本発明の目的は、ベースバンド処理デバイスと遠隔無線ヘッドとを備えている少なくとも１つの分散型基地局を有する無線アクセス・ネットワークを提供することであるが、ここで、遠隔無線ヘッドは、ベースバンド処理デバイスと遠隔無線ヘッドとの間におけるベースバンド信号の効率的な送信を可能にするものであって、特にベースバンド処理デバイスと遠隔無線ヘッドとの間の送信遅延に関する厳格な要件が緩和されているものとする。
【課題を解決するための手段】
【０００６】
一実施形態によると、ワイヤレス通信ネットワークのデジタル・ベースバンド信号のサンプルを送信するための送信構成が提供される。この送信構成は、デジタル・ベースバンド信号のサンプルを受信するように動作可能であるサンプル入力と、現在時刻を判断するように動作可能であるローカル・クロックと、現在時刻に応じて、少なくとも１つのサンプルと関連付けられた少なくとも１つのタイムスタンプを生成するように動作可能であるタイムスタンプ生成器と、サンプルと少なくとも１つのタイムスタンプとを含む信号を出力するように動作可能である出力と、を備えている。サンプルだけでなくタイムスタンプも含む信号を生成することにより、パケット・バッファとのパケットまたはフレームスイッチを備えている交換網などの非同期送信媒体を、信号の転送に用いることができる。タイムスタンプにより、受信構成は、元の同期デジタル・ベースバンド信号を復元することができる。交換網を用いることにより、フレームフローの他のパケットを有する信号を、または、異なるデジタル・ベースバンド信号のサンプルを含む更なる信号を、統計的に多重化することが可能になる。統計的多重化は、交換網の送信リソースの平均的な利用を増加させ、従って、効率的な通信ネットワークを実装することが可能になる。
【０００７】
一実施形態では、ローカル・クロックは、好ましくはＧＰＳ信号である時間基準信号を受信するための時間基準受信機を含む時間基準回路を備えている。
【０００８】
一実施形態では、タイムスタンプは、タイムスタンプが関連付けられたサンプルの予定されている送信時刻を示す、および／または、送信機は、少なくともいくつかのサンプルをそれらの予定されている送信時刻とは独立に送信するように動作可能である。予定されている送信時刻とは独立に少なくとも１つのサンプルを送信することにより、サンプルの送信が可能となると直ちに、例えば、サンプルが例えばベースバンド信号処理デバイスによって生成されると直ちに、サンプルを送信することが可能となる。よって、少なくとも１つのサンプルが、予定されている送信時刻よりもいくらか前の時点で送信され得る。従って、例えば交換網の転送遅延の変動は、復元されたデジタル・ベースバンド信号の品質に対して全く影響しない、または、ほとんど影響しない。更に、送信構成において、送信バッファが必要とされない。
【０００９】
一実施形態では、タイムスタンプは、単一のサンプル、好ましくは、それぞれのサンプルと関連付けられる。別の実施形態では、タイムスタンプは、一群の連続するサンプルと関連付けられる。タイムスタンプを一群のサンプルと関連付けることにより、複数のサンプルを、交換網を経由して１つのデータ・プロトコル単位（例えば、フレームまたはパケット）として送信され得る１つのデータ・ブロックにパッケージ化することが可能になる。
【００１０】
一実施形態では、信号は、複数のＲＦ送信デバイスによって送信される少なくとも１つの共通ベースバンド信号パターンと、単一のＲＦ送信デバイスによって送信される少なくとも１つの特定ベースバンド信号パターンとを含む。例えば、共通ベースバンド信号パターンは、ブロードキャストされたテレビジョン信号の少なくとも一部か、または、多地点協調送信（ＣｏＭＰ）を用いて送信される信号の共通部分を含み得る。ＲＦ送信デバイスは、ワイヤレス・ネットワークの遠隔無線ヘッドであり得る。
【００１１】
別の好適な実施形態によると、ワイヤレス通信ネットワークの信号を送信するための方法が提供される。この方法は、デジタル・ベースバンド信号のサンプルを受信するステップと、現在時刻を判断するステップと、現在時刻に応じて、少なくとも１つのサンプルと関連付けられた少なくとも１つのタイムスタンプを生成するステップと、サンプルと少なくとも１つのタイムスタンプとを含む信号を出力するステップと、を含む。
【００１２】
一実施形態では、この方法は、本明細書において説明される送信構成によって実行される。別の実施形態によると、ワイヤレス通信ネットワークの前記信号を送信するための方法を実行するように構成された送信構成が、提供される。
【００１３】
更に別の好ましい実施形態によると、ワイヤレス通信ネットワークの信号を受信するための受信構成が提供され。この受信構成は、デジタル・ベースバンド信号のサンプルと、前記サンプルの少なくとも１つと関連付けられた少なくとも１つのタイムスタンプとを含む信号を受信するように動作可能である信号入力と、受信された信号とは独立に動作しており、現在時刻を判断するように動作可能であるローカル・クロックと、デジタル・ベースバンド信号を出力するための信号生成器であって、タイムスタンプと現在時刻とに依存する時点において少なくとも１つのサンプルを出力するように動作可能である信号生成器と、を備えている。この受信構成は、送信構成によって送信された信号を受信して、受信された信号からデジタル・ベースバンド信号を復元するように、構成され得る。
【００１４】
一実施形態では、受信構成は、どのようにデジタル・ベースバンド信号を少なくとも１つの更なるデジタル・ベースバンド信号に変換すべきかを記述する１組の変換パラメータを受信し、この１組の変換パラメータに応じてデジタル・ベースバンド信号を変換するように構成されている信号プロセッサを備えている。この実施形態による受信構成は、送信構成によって送信される信号によって特徴付けられるデジタル・ベースバンド信号を変換パラメータに応じて変換することにより、１つまたは複数の更なるデジタル・ベースバンド信号を生成するように構成され得る。従って、例えばアンテナ・アレイの複数のアンテナを付勢するために要求され得る複数の更なるベースバンド信号が、生成され得る。例えば、前記更なるデジタル・ベースバンド信号に応じて複数のアンテナを付勢することによって、ビーム形成が実装され得る。
【００１５】
従って、ワイヤレス・ネットワークの送信構成または別のネットワーク要素は、１組の変換パラメータを生成するように構成されている変換パラメータ生成器を含み得る。１組の変換パラメータは、交換網を経由して、受信構成まで転送され得る。一実施形態では、１組の変換パラメータは、サンプルが含まれているのと同じデータ・ブロックまたはプロトコル・データ・ユニットに含まれ得る。別の実施形態では、それらは、信号（すなわちサンプルおよびタイムスタンプ）を含むプロトコル・データ・ユニットのフローとは別個のプロトコル・データ・ユニットのフローを用いて、送信される。
【００１６】
一実施形態では、受信構成は、少なくとも１つのベースバンド信号パターンを記憶するための信号パターン・バッファを備えており、受信構成は、少なくとも１つのベースバンド信号パターンがいつ出力されるのかを示す指示の受信に応じて、少なくとも１つのベースバンド信号パターンを出力するように動作可能である。よって、再帰的な信号パターンは、信号パターン・バッファに記憶され、交換網を経由してそれらを複数回にわたり転送することを必要とせずに、エア・インターフェースを経由して反復的に送られ得る。一実施形態では、受信装置は、少なくとも１つのベースバンド信号パターンを受信し、受信された信号パターンを信号パターン・バッファに記憶するように構成されている。一実施形態では、指示は、パターン・バッファに記憶されているどの信号パターンが送り出されるのかを示し得る。
【００１７】
従って、一実施形態では、ワイヤレス・ネットワークの送信構成または別のネットワーク要素は、信号パターンおよび／または前記指示を受信構成に送信するように構成され得る。
【００１８】
別の実施形態によると、ワイヤレス通信ネットワークのデジタル・ベースバンド信号を復元するための方法が提供され、この方法は、デジタル・ベースバンド信号のサンプルと、前記サンプルの少なくとも１つと関連付けられた少なくとも１つのタイムスタンプとを含む信号を受信するステップと、受信された信号とは独立に動作しているローカル・クロックによって現在時刻を判断するステップと、タイムスタンプと現在時刻とに依存する時点において少なくとも１つのサンプルを出力することによってデジタル・ベースバンド信号を生成するステップと、を含む。
【００１９】
好ましくは、この方法は、本明細書において説明されている受信構成によって実行され得る。ある実施形態によると、デジタル・ベースバンド信号を復元するための方法を実行するように構成されている受信構成が、提供される。
【００２０】
更に別の実施形態によると、ワイヤレス通信ネットワークのベースバンド処理デバイスと遠隔無線ヘッドとを相互に相互接続するためのゲートウェイ・デバイスが提供される。このゲートウェイ・デバイスは、本明細書に記載されている受信構成であって、サンプルとタイムスタンプとを含むダウンリンク信号をベースバンド処理デバイスから受信して、受信された信号から復元されたダウンリンク・デジタル・ベースバンド信号を遠隔無線ヘッドに転送するように構成されている受信構成と、本明細書に記載されている送信構成であって、アップリンク・デジタル・ベースバンド信号を遠隔無線ヘッドから受信して、サンプルとタイムスタンプとを含むアップリンク信号をベースバンド処理デバイスに出力するように構成されている送信構成と、を備えている。
【００２１】
更に別の実施形態によると、ワイヤレス通信ネットワークのベースバンド信号処理デバイスであって、この通信ネットワークの遠隔無線ヘッドに宛てられているダウンリンク・デジタル・ベースバンド信号のサンプルを生成し、遠隔無線ヘッドから生じるアップリンク・デジタル・ベースバンド信号のサンプルを受信するように動作可能であるベースバンド信号処理デバイスが提供される。このベースバンド信号処理デバイスは、本明細書に記載されている送信構成であって、ダウンリンク・デジタル・ベースバンド信号のサンプルを受信し、サンプルとタイムスタンプとを含むダウンリンク信号を出力するように構成されている送信構成と、本明細書に記載されている受信構成であって、サンプルとタイムスタンプとを含むアップリンク信号を受信して、アップリンク・デジタル・ベースバンド信号のサンプルを再生するように構成されている受信構成と、を備えている。この受信構成は、アップリンク信号から、デジタル・ベースバンド信号を再生し得る。
【００２２】
更なる実施形態によると、好ましくはコンピュータ可読な記憶媒体であるコンピュータ・プログラム製品が提供される。このコンピュータ・プログラム製品は、コンピュータ上で動作すると本明細書に記載の方法を実行するようにプログラムされているコンピュータ・プログラムを含む。このコンピュータ可読な記憶媒体は、半導体メモリ、磁気記憶媒体または光記憶媒体を含み得る。更に、好ましくはコンピュータ・プログラムであるこのコンピュータ・プログラム製品は、サーバによって、ダウンロードのために提供され得る。
【００２３】
本発明の例示的な実施形態と更なる効果とが図面に示されており、以下で詳細に説明される。
【図面の簡単な説明】
【００２４】
【図１】第１の実施形態によるワイヤレス通信ネットワークを示す図である。
【図２】図１のネットワークの仮想的な基地局の内部におけるアップリンク送信経路とダウンリンク送信経路とを示す図である。
【図３】デジタル・ベースバンド信号のサンプルとサンプルに関連付けられたタイムスタンプとを含む信号を送信するための送信構成を示す図である。
【図４】図３の送信構成によって送信される信号を受信してデジタル・ベースバンド信号を再生するための受信構成を示す図である。
【図５】第２の実施形態によるワイヤレス通信ネットワークの一部を示す図である。
【図６】第３の実施形態によるワイヤレス通信ネットワークの一部を示す図である。
【発明を実施するための形態】
【００２５】
明細書および図面は、本発明の原理を、単に例証しているにすぎない。従って、当業者であれば、本明細書で明示的に説明または示されていなくても、本発明の原理を具体化しておりその精神および範囲に含まれる様々な構成を考案できる、ということが認識されるであろう。更に、本明細書に記載されているすべての例は、基本的に、本発明の原理と発明者らによって貢献がなされこの技術分野を発展させる概念とを読者が理解する助けとなる教育的目的のためのものにすぎないことが明確に意図されているのであって、それらの具体的に記載されている例および条件に限定されることのないように、解釈されなければならない。更に、その特定の例に加え、本発明の原理、態様および実施形態に関し本明細書において言及しているすべての記載は、その均等物にも及ぶことが意図されている。
【００２６】
図１は、本発明の一実施形態による無線アクセス・ネットワーク１１を示す。ネットワーク１１は、１つまたは複数の遠隔無線ヘッド１３と少なくとも１つのクラスタ１５とを備えており、各クラスタ１５は、ベースバンド処理を実行するように構成された１つまたは複数のベースバンド処理デバイス１７を含む。ベースバンド処理は、例えば、変調、コーディング、ビーム形成、多地点協調送信（ＣｏＭＰ）などである信号処理、および／または、ネットワーク１１の通信プロトコルの処理を含み得る。示されている実施形態では、ネットワーク１１は、異なる複数のクラスタ１５を有しており、各クラスタ１５が、ネットワーク１１において行われるあるタイプの機能を実行する。特に、第１のクラスタ１９は、物理層処理、特に信号処理を実行するように構成されている。第２のクラスタ２１は、ＭＡＣプロトコルのシグナリングなど、プロトコル動作を実行するように動作可能である。しかし、本発明は、少なくとも１つのクラスタ１５があるタイプの機能の専用であるような実施形態に限定されることはない。別の実施形態では、少なくとも１つのクラスタ１５は、複数のタイプの機能またはネットワーク１１のすべてのベースバンド処理機能を実行するように、動作可能である。
【００２７】
遠隔無線ヘッド１３は、エア・インターフェース２３を経由して、少なくとも１つのモバイル端末２５と通信するように構成されている。従って、遠隔無線ヘッド１３は、アンテナ２７と接続され得る無線周波数（ＲＦ）トランシーバ（図示せず）を備えている。各遠隔無線ヘッド１３は、相互接続構成３１を経由してゲートウェイ３３に接続されているベースバンド・ポート２９を有する。示されている実施形態では、１つのグループの遠隔無線ヘッド１３が、単一のゲートウェイ３３に接続されている。示されているネットワーク１１は２つのグループの遠隔無線ヘッド１３を有しているから、２つのゲートウェイ３３が提供されている。各ゲートウェイ３３は、アクセス・ネットワーク１１の交換網３５に接続されている。クラスタ１５のベースバンド処理デバイス１７もまた交換網３５に接続されているので、ゲートウェイ３３は、交換網３５を経由してベースバンド処理デバイス１７と、相互接続構成３１を経由して遠隔無線ヘッド１３と、通信し得る。すなわち、ゲートウェイ３３は、遠隔無線ヘッド１３を、クラスタ１５のベースバンド処理デバイス１７と結合する。
【００２８】
交換網３５は、少なくとも１つのパケット・スイッチ３７を含むパケット交換網であり得る。示されている実施形態では、交換網３５は、１０ＧＢのイーサネット・ネットワークである。更に詳しくは、交換網３５は、ソフトウェア・ディファインド・ネットワーキング（ＳＤＮ）アーキテクチャを有する、すなわち、交換網３５の制御プレーン機能の少なくとも一部は、パケット・スイッチ３７とは別個のコントローラ３９によって実行され得るのである。結果的に、スイッチ３７は、コントローラ３９の制御の下で、フレームまたはパケット転送などのユーザプレーン動作を実行する。例えば、パケット・スイッチ３７とコントローラ３９とは、相互に結合され、オープンフロー（ＯｐｅｎＦｌｏｗ）の仕様に従って相互に作用し得る（ｗｗｗ．ｏｐｅｎｆｌｏｗ．ｏｒｇを参照のこと）。しかし、本発明は、このタイプの交換網３５に限定されることはない。特に、ＳＤＮを用いるのではなく、従来型の交換網が適用され得る。更に、本発明はイーサネットに限定されず、任意のタイプのネットワーク、特に交換網を適用して、クラスタ１５とゲートウェイ３３とを相互に接続することができる。
【００２９】
交換網３５は、通常はスイッチ３７に配置されるパケット・バッファを含むのが典型的であるから、ゲートウェイ３３とクラスタ１５との間で送信されるパケットのパケット転送遅延は、パケット・バッファの瞬間的サイズに依存し、更に、パケット・バッファの瞬間的サイズは、現在のネットワーク負荷に依存する。その結果として、交換網３５のあるノード１５、３３におけるパケットの送信と別のノード３３、１５におけるパケットの受信との間には、厳密な時間的関係が存在しない。従って、交換網３５とクラスタ１５とゲートウェイ３３の一部とを含むアクセス・ネットワーク１１の一部は、アクセス・ネットワーク１１の非同期部分４１と称される。
【００３０】
交換網３５とは対照的に、相互接続構成３１は、相互接続構成３１に接続されているあるノード２９、３３によってパケットが送信される瞬間と相互接続構成３１に接続されている別のノード３３、２９におけるそのパケットの受信時刻との、かなり厳密な時間的関係を保証する。従って、相互接続構成とそれに接続されているノード１３、３３とは、ネットワーク１１の同期部分４３に属する。ゲートウェイ３３は、非同期部分４１と同期部分４３とを相互接続するため、非同期部分４１と同期部分４３との両方に属する。
【００３１】
示されている実施形態においては、この厳密な時間的関係は、相互接続構成３１を経由して送信されるパケットの統計的多重化を回避することによって、達成される。従って、相互接続構成３１は、遠隔無線ヘッド１３とゲートウェイ３３との間の２点間リンクを含み得る。２点間リンクに加えて、または２点間リンクに代わり、相互接続構成３１の専用の量の送信リソースが、遠隔無線ヘッド１３とゲートウェイ３３との個々の対に適用されることがあり得る。例えば、波長分割多重化（ＷＤＭ）が適用されて、単一の相互接続構成３１の遠隔無線ヘッド１３とゲートウェイ３３との各対が専用の波長を有することがあり得る。
【００３２】
アクセス・ネットワーク１１を動作させるときに、クラスタ１５と遠隔無線ヘッド１３とは、基地局のダウンリンク送信、アップリンク送信またはそれ以外の動作を実行するために、相互に協働する。すなわち、クラスタ１５と遠隔無線ヘッド１３とは、アクセス・ネットワーク１１の分散型基地局を形成する。クラスタ１５のベースバンド処理デバイス１７によってベースバンド処理が実行されるので、少なくとも１つの分散型基地局を備えているネットワーク１１は、「仮想無線アクセス・ネットワーク」または「クラウド無線アクセス・ネットワーク」とも称される。遠隔無線ヘッド１３は、ベースバンド処理タスクと個々のベースバンド処理デバイス１７との正確な関連付けを認識していることは、要求されない。
【００３３】
ベースバンド処理デバイス１７は、（例えば、ＩＰアドレス、および／または、ＵＤＰもしくはＴＣＰなどのＩＰベースのトランスポートプロトコルのポート数などの）アドレスに基づいて、任意の遠隔無線ヘッド１３を識別しコンタクトすることができる。交換網３５では、例えば交換網３５を経由して運ばれるパケットの最大転送遅延や最大ラウンドトリップタイム（ＲＴＴ）を保証するために、サービス機構の既知の品質を、用いることができる。結果的に、送信リソースの専用の配分が、例えば２点間のリンクを用いることにより、アクセス・ネットワーク１１の同期部分４３においてのみ要求され、他方で、アクセス・ネットワーク１１の非同期部分４１では、サービス機構の既知の品質で十分となる。更に、ネットワーク１１の非同期部分４１のノード、特にベースバンド処理デバイス１７は、汎用のマイクロプロセッサと例えば従来型のイーサネット・インターフェースとを有するマイクロコンピュータとして、実装され得る。特に、標準的なパーソナル・コンピュータ（ＰＣ）技術を応用することにより、クラスタ１５またはベースバンド処理デバイス１７を実装し得る。汎用プロセッサ、特にＰＣコンピュータ・アーキテクチャを備えたマイクロコンピュータによると、それらの比較的高い計算容量により、高いスループットを備えたベースバンド処理が可能になるのが典型的であるが、相互接続構成３１を経由する遠隔無線ヘッド１３との通信に関する厳格なタイミング要件には従うことはできないのが典型的である。後に詳細に説明するタイムスタンプ・ベースのアプローチを用いることによって、同期部分４３においては厳格なタイミング要件に従うことが可能であり、交換網４５およびクラスタ１５などの非同期部分４１においてだけは、厳格性が緩和されたタイミング要件に従うことが可能な機器が用いられる。
【００３４】
図２を参照しながら、無線アクセス・ネットワーク１１の動作について、より詳細に説明される。ダウンリンク送信を実行するときには、ベースバンド処理デバイス１７は、シグナリング・データなどのデータを生成する、または、コア・ネットワークからもしくは異なるベースバンド処理デバイス１７から、ペイロード・データなどのデータを受信する。受信されたまたは生成されたデータに応じて、ベースバンド処理デバイス１７は、デジタル・ベースバンド信号４５を生成する。示されている実施形態では、デジタル・ベースバンド信号４５は、時間領域において表されている、すなわち、デジタル・ベースバンド信号４５は、２つの連続的なサンプルの間の間隔がサンプリング間隔Ｔｓに対応するような等距離のサンプルを含んでいる。示されている実施形態では、デジタル・ベースバンド信号は複素数値の信号であり、各サンプル４７は、サンプルの実部の値とサンプルの虚部の値とを含む。よって、サンプル４７は、ＩＱサンプルとも称される。ベースバンド処理デバイス１７の送信インターフェース構成４９は、サンプル４７を含むデジタル・ベースバンド信号４５を受信する。
【００３５】
図３に示されているように、送信インターフェース構成４９は、デジタル・ベースバンド信号４５のサンプル４７を受信するサンプル受信機５１を備えている。更に、送信インターフェース構成４９は、少なくとも１つのタイムスタンプ５３を生成しそのタイムスタンプ５３を少なくとも１つのサンプル４７と関連付けるためのタイムスタンプ生成器５２を含む。ある実施形態では、タイムスタンプ生成器５２は、サンプル４７とそのサンプル４７と関連付けられたそれぞれのタイムスタンプ５３との対を生成し得る。タイムスタンプ５３とサンプル４７との対は、データ・ブロックに含まれ得る。そのようなデータ・ブロックの１つまたは複数は、交換網３５を経由して送信されるパケット（例えば、ＩＰパケットまたはイーサネット・フレーム）に含まれ得る。別の実施形態では、タイムスタンプ５３は、サンプル４７のグループ、好ましくは、図３において破線で示されている連続的なサンプル４７のグループと関連付けられ得る。送信インターフェース構成４９の出力５５は、サンプル４７とタイムスタンプ５３とを含む信号Ｓを出力するように構成されている。
【００３６】
更に、送信インターフェース構成４９は、ローカル・クロック５７を備えている。ローカル・クロック５７は、ＧＰＳ信号（図３ではＧＰＳと記されている）などの時間基準信号を受信するための時間基準回路５９を含み得る。タイムスタンプ生成器５２は、各タイムスタンプ５３の値を計算するために、ローカル・クロック５７によって決定される現在時刻ｔを用いる。ある実施形態では、タイムスタンプ生成器５２は、現在時刻ｔをタイムスタンプ５３として特徴付ける値を計算するだけである。別の実施形態では、タイムスタンプ生成器５２は、現在時刻ｔだけでなく、サンプル４７の送信時刻と関係する追加的情報ａも、用いる。この追加的な情報ａは、サンプル４７を生成するベースバンド処理デバイス１７によって、生成され得る。現在時刻ｔと追加的情報ａとを用いて、タイムスタンプ５３が、それぞれのサンプル４７が遠隔無線ヘッド１３によって受信されるようにゲートウェイ３３によって送信される送信時刻（予定された送信時刻）を記述するように、計算される。結果的に、タイムスタンプは、交換網３５の転送遅延に左右されない。
【００３７】
追加的情報ａを用いる実施形態では、ベースバンド処理デバイス１７は、予定された送信時刻より前にサンプル４７を生成して、それらのサンプル４７を直ちにタイムスタンプ生成器５２に転送することがあり得る。例えば、追加的情報ａは、現在時刻ｔと予定された送信時刻との間の時間間隔を含み得る。信号出力５５によって出力された信号Ｓは、交換網３５を経由してゲートウェイ３３に送信される。
【００３８】
ゲートウェイ３３は、信号Ｓを受信してデジタル・ベースバンド信号４５を再生するための受信構成６１を有する。図４に示されているように、受信構成６１は、サンプル４７とタイムスタンプ５３とを含む信号Ｓを入力するための信号入力６１を有する。サンプル４７とそれぞれのタイムスタンプ５３とは、受信構成６１の信号入力バッファ６５に記憶される。受信構成６１の信号生成器６７は、信号Ｓのサンプル４７とタイムスタンプ５３とに応じてデジタル・ベースバンド信号４５を生成するように構成されている。この目的のために、信号生成器６７は、サンプル４７とそれぞれのタイムスタンプ５３とを信号入力バッファ６５から除去することができる。特に、信号生成器６７は、信号Ｓの対応するサンプル４７のタイムスタンプ５３によって記述される予定された送信時刻が現在時刻ｔと対応すると直ちに、デジタル・ベースバンド信号４５のサンプル４７を生成する。予定された送信時刻とは、あるサンプル４７が受信構成６１によって相互接続構成３１に出力される時刻である。
【００３９】
結果として、信号生成器６７は、ベースバンド処理デバイス１７によって決定されタイムスタンプ生成器５２によって信号Ｓの中に含まれる予定された送信時刻に従って、ベースバンド信号４５を生成する。現在時刻ｔを決定するために、受信構成６１は、少なくとも送信構成のローカル・クロック５７と類似するローカル・クロック５７を備え得る。ローカル・クロック５７は、受信された信号Ｓとは独立に動作するように構成されている。ローカル・クロック５７は、正確に動作するために、信号Ｓが存在するまたは何らかのタイミング要件に従うことを必要としない。特に、ローカル・クロック５７は、ＧＰＳ信号などの時間基準信号を受信する時間基準回路５９を含み得る。好適な実施形態では、送信構成４９と受信構成６１との両方が、これら２つの構成４９、６１のローカル・クロック５７が相互に同期することを達成するため、同一の時間基準信号（例えばＧＰＳ信号）に応じて、それらの現在時刻ｔを生成する。
【００４０】
好適な実施形態では、信号生成器６７は、タイムスタンプ５３の昇順で、サンプル４７を信号入力バッファ６５からリトリーブするように構成されている。サンプル４７をタイムスタンプ５３の昇順で信号入力バッファ６５からリトリーブすることは、交換網３５においてパケットの順序変更が生じる場合でも、ベースバンド信号４５が歪まないという効果を有する。このように、入力バッファ６５を用いることにより、シーケンスから外れて受信されたサンプルの順序を変更することが可能になる。
【００４１】
交換網３５におけるパケット損失が原因で、１つまたは複数のサンプル４７が、交換網３５を経由してそれらが送信される間に、失われることがあり得る。そのために、信号生成器６７は、例えば少なくとも１つの更なるサンプル６９を挿入することによってサンプル４７の損失を訂正するように、構成され得る。この更なるサンプル６９は、所定の値（例えばゼロ）を有することがあり得るし、または、好ましくは隣接するサンプル４７など、他のサンプル４７の値を用いて補間されることもあり得る。
【００４２】
ある実施形態では、エア・インターフェース２３を経由して無線信号が送信されることが必要ない間には、ベースバンド処理デバイス１７がサンプル４７の生成を停止することがあり得る。この場合、タイムスタンプ生成器５２は、もはやサンプル４７またはタイムスタンプ５３を出力せず、信号Ｓが交換網３５を経由して送信されることはない。受信構成６１が信号Ｓを受信しないときには、内部クロック信号を生成するためには遠隔無線ヘッド１３が連続的なベースバンド信号４５を要求する場合は、信号生成器６７は一連の更なる信号６９を生成することがあり得る。
【００４３】
次に、デジタル・ベースバンド信号４５が、例えばゲートウェイ３３と遠隔無線ヘッド１３との間の２点間リンクである相互接続構成３１を経由して送信され、遠隔無線ヘッド１３によって受信される。同期部分４３に属する相互接続構成３１は厳格なタイミング要件に従うので、ＣＰＲＩまたはＯＢＳＡＩなどの従来型のデジタル・ベースバンド信号インターフェースが、ゲートウェイ６１と遠隔無線ヘッド１３との間の通信に適用され得る。遠隔無線ヘッド１３のデジタル・アナログおよびアナログ・デジタル・コンバータ７１がアナログ・ベースバンド信号を生成し、ＲＦ−回路７３がアンテナ２７を介しエア・インターフェース２３を経由して端末２５まで送信されるＲＦ−信号を生成する。
【００４４】
タイムスタンプ５３を用いることにより、サンプル４７がベースバンド処理デバイス１７によって生成されると直ちに、交換網を経由してそれらのサンプル４７を送信することが可能になり、よって、交換網３５経由の送信遅延の影響を低下させることが可能になる。結果的に、計算速度と、交換網３５経由の送信遅延とゲートウェイ３３の信号入力バッファ６５のサイズとを注意深く決定することにより、シグナル・インテグリティを最適化することが可能になる。その結果、ベースバンド処理デバイス１７における十分に高速な計算によって、交換網３５における比較的長く予見不可能な送信遅延を補償することが可能になり、はるかに広い範囲のトポロジおよび技術を用いることが可能になり、困難なリアルタイムの拘束条件が、主に送信遅延およびビットレートの平均値に関するサービス拘束条件の品質に緩和される。既に説明したように、行方不明のサンプルはタイムスタンプ５３を解析することによって検出可能であり、必要な場合にはデジタル・ベースバンド信号４５を復元することが可能であるため、ネットワーク１１は、一部のサンプル４７の損失に関して堅牢である。
【００４５】
示されている実施形態では、デジタル・ベースバンド信号４５が、一連のＩＱサンプル４７の形式で、時間領域において表されている。しかし、本発明は、ベースバンド信号４５のそのような表現に限定されることはない。ＩＱサンプル４７の代わりに、ベースバンド信号４５の異なる表現が、相互接続構成３１の上で用いられ得るのであって、その表現から一連のＩＱサンプルが導かれ得る。デジタル・ベースバンド信号４５は、サンプル４７の間の距離がサンプリング間隔Ｔｓに対応するような等距離の時点で構成されているサンプル４７を含み得る。時間領域におけるサンプル４７の規則的で等距離の構成のため、デジタル・ベースバンド信号は、タイムスタンプを必要としない。そのため、示されている実施形態では、デジタル・ベースバンド信号はタイムスタンプを含んでいない。
【００４６】
アップリンク送信のために、ゲートウェイ３３は送信構成４９’を有しており、ベースバンド処理デバイス１７は受信構成６１’を有している。示されている実施形態では、送信構成４９は更なる情報ａを生成せず、タイムスタンプ生成器５２は、対応するサンプル４７が相互接続構成３１において実際に受信される時刻を記録するために、現在時刻ｔに応じてのみ、タイムスタンプ５３を生成する。
【００４７】
アップリンク送信経路は、エア・インターフェース２３を経由してＲＦ−信号を送信する端末２５において開始する。遠隔無線ヘッド１３は、アンテナ２７を介してＲＦ−信号を受信する。ＲＦ−回路７３は、ＲＦ−信号を処理して、それをアナログ・ベースバンド信号に変換し、このアナログ・ベースバンド信号は、コンバータ７１によって、アップリンク・デジタル・ベースバンド信号４５に変換される。遠隔無線ヘッド１３は、相互接続構成３１を経由してゲートウェイ３３まで、アップリンク・デジタル・ベースバンド信号４５を送信する。ゲートウェイ３３は、アップリンク・デジタル・ベースバンド信号４５を、信号Ｓを生成する更なる送信インターフェース構成４９’まで送る。信号Ｓは、交換網３５を経由して、ベースバンド処理デバイス１７まで送信される。ベースバンド処理デバイス１７の更なる受信構成６１が、アップリンク・デジタル・ベースバンド信号４５を復元する。
【００４８】
例えば図２に示されているように、示されている実施形態は、ＧＰＳ信号を、ベースバンド処理デバイス１７とゲートウェイ３３との両方のための共通時間基準として用いる。ゲートウェイ３３は、従って、パルス・パー・セカンド（ＰＰＳ）信号と１０ＭＨｚのクロック信号との２つの同期している信号において、ＵＴＣ時間（秒単位）を受信することができる。この情報を組み合わせることによって、ゲートウェイ３３は、１０−７秒の精度を有するタイムスタンプ５３を生成し得る。更に高い精度が必要とされる場合には、位相ロック・ループ（ＰＬＬ）または他のコンポーネントを、ＧＰＳクロック・レートを乗算してそのような更に高い精度に必要とされる所望の周波数に到達するために、用いることができる。
【００４９】
図１および図２に示されている実施形態では、ゲートウェイ３３と遠隔無線ヘッド１３とは、数メートルまたはそれよりも長い２点間リンクなどの比較的長い相互接続構成３１を用いて相互に接続されている別々のネットワーク要素である。しかし、別の実施形態では、ゲートウェイ３３は、遠隔無線ヘッド１３の中に一体化されている。すなわち、遠隔無線ヘッド１３とゲートウェイ３３とは、単一のネットワーク要素またはデバイスを形成している。遠隔無線ヘッド１３とゲートウェイ３３とが、単一のケースの中に含まれている場合もあり得る。そのような遠隔無線ヘッド１３は、その遠隔無線ヘッド１３の中にやはり一体化されている単純化された相互接続構成３１を有することがあり得るし、この単純化された相互接続構成３１は、単純な光学的または電気的な２点間リンクを含む場合があり得る。一体化された相互接続構成においては、ＣＰＲＩまたはＯＰＲＳＩなどの複雑なおよび／または標準化されたインターフェースを回避することが可能であって、他のまたはより単純なインターフェースが実装され得る。
【００５０】
図５は、一体化されたゲートウェイ３３を備えた遠隔無線ヘッド１３を有する無線アクセス・ネットワーク１１を示している。示されている例では、ｎ個の遠隔無線ヘッド１３が、デジタル・ベースバンド信号４５に応じて信号処理アルゴリズムによって計算されるｎ個の更なるデジタル・ベースバンド信号４５ａに応じて、無線信号を送信する。導かれた更なるベースバンド信号のそのような１組の例示的な応用としてビーム形成があり、その場合、各アンテナが、うまく定義されたスキュ／変換をデジタル・ベースバンド信号４５に対して適用することによって得られる少なくとも１つの別の更なるベースバンド信号４５ａを必要とする。交換網３５を経由するすべての更なるベースバンド信号の同期送信を回避するために、ゲートウェイ３３の受信構成６１の信号プロセッサ６８は、デジタル・ベースバンド信号４５をどのようにして個々の遠隔無線ヘッドの内部で用いられる更なるデジタル・ベースバンド信号４５ａに変換すべきかを記述する１組の変換パラメータｐを入力するための入力を有している。ダウンリンク信号経路における受信構成６１の信号プロセッサ６８は、１組の変換パラメータｐを受け取り、その更なるデジタル・ベースバンド信号４５ａと関係する１組の変換パラメータに応じて、デジタル・ベースバンド信号４５を更なるデジタル・ベースバンド信号４５ａに変換するように、構成されている。
【００５１】
ベースバンド処理デバイス１７は、異なる態様でデジタル・ベースバンド信号４５を変換して異なる遠隔無線ヘッド１３において複数の異なる更なるベースバンド信号４５ａを生成するように個々の遠隔無線ヘッド１３に命令するために、異なる１組の変換パラメータｐを個々の遠隔無線ヘッド１３のゲートウェイ３３に送信し得る。デジタル・ベースバンド信号４５は、交換網３５を経由して遠隔無線ヘッド１３に、マルチキャストされ得る。信号が送信される間に、無線ヘッド１３に一体化されている各ゲートウェイ３３は、１組の変換パラメータｐに従って、デジタル・ベースバンド信号３５を変換する。
【００５２】
更に、ゲートウェイ３３の受信構成６１は、パイロット信号などの再帰的な信号パターンのサンプル４７のシーケンスを記憶するための信号パターン・バッファ７５を備えていることがあり得る。そのような信号パターンがアクセス・ネットワーク１１から端末２５へ定期的に送信されることにより、ネットワーク１１に入る端末２５は、ネットワーク１１において実装されている（仮想的な）基地局を識別して、その基地局と相互作用することが可能になる。
【００５３】
これらの再帰的パターンは、少なくともほとんど一定であり、ネットワーク設定に依存するのが典型的である。ある実施形態では、ベースバンド処理デバイス１７が、１つまたは複数の信号パターンをゲートウェイ３３に送信し、ゲートウェイ３３の受信構成６１が、信号入力６３を経由して信号パターンを受信して、それらを信号パターン・バッファ７５に記憶する。信号パターンが信号パターン・バッファ７５に記憶されると、次に、ベースバンド処理デバイス１７が、ゲートウェイ３３に、ある信号パターンがいつ開始するはずであるかを示す指示ｒを、単に送り得る。図４に図解されているように、信号生成器６７は、パターン・バッファ７５に記憶されている信号パターンに応じてデジタル・ベースバンド信号４５の一部を生成するように、構成され得る。信号生成器６７は、指示ｒを受信し、指示ｒによって識別される記憶されている信号パターンに応じて、指示ｒにおいて特定されている時間インスタントにおいて開始するデジタル・ベースバンド信号パターンを、生成するように構成され得る。結果的に、交換網３５を経由しての信号パターンの冗長な送信を、回避することが可能になる。
【００５４】
図６は、複数の遠隔無線ヘッド１３が異なる信号を送信するのであるが、異なる信号のそれぞれがこのグループの複数の遠隔無線ヘッド１３のそれぞれに対して同一である共通部分を有しているシナリオを示している。信号の共通部分は、ブロードキャストＴＶなどの複数の端末２５を宛先とする共通コンテンツを含むことがあり得る。アクセス・ネットワーク１１を経由してブロードキャストＴＶを送信するときには、一部のデータは、様々な無線セルにおける複数の端末２５に同期してブロードキャストされる。
【００５５】
更に、多地点協調送信（ＣｏＭＰ）を用いることによって、複数のベースバンド信号が異なる複数の遠隔無線ヘッド１３に送信されることになるが、これらの複数の信号は同一の共通部分を有する。ジョイント処理と称されるＣｏＭＰのある変形例では、異なる遠隔無線ヘッド１３に接続されている異なるアンテナ・システムからの空間的多様性が、非コヒーレントに（例えば、チャネル・デコーダの入力における相補的な前方誤り訂正（ＦＥＣ）パリティ・ビットを送る）、またはコヒーレントに（例えば、復調器の入力において位相を結合する場合）保証される。コヒーレントなジョイント処理のためには、同じ無線記号が、同時刻に、そのジョイント処理に参加している様々なアンテナ・システムによって、このストリームに挿入されなければならない。この同じ無線記号は、異なる遠隔無線ヘッド１３に送信される信号の共通部分を形成する。
【００５６】
図６に示されている実施形態では、信号の共通部分は、マルチキャストによってゲートウェイ３３に送信され、１組の複数の無線ヘッド１３の各遠隔無線ヘッド１３に特有である信号の残りの部分は、ユニキャストによって遠隔無線ヘッド１３に接続されているゲートウェイ３３に送信される。信号の共通部分のためにマルチキャストを用いることにより、交換網３５における帯域幅の必要性が減縮される。
【００５７】
まとめると、本明細書において説明されている実施形態により、ネットワーク１１の非同期部分４１を経由して、特に交換網３５を経由して、サンプル４７を非同期的に送信することが可能になる。ゲートウェイ３３は、可能な限り遠隔無線ヘッド１３に近接して、配置される。ゲートウェイ３３は、非同期パケットまたはフレーム・フロー（信号Ｓ）を、同期ＩＱサンプル・ストリーム（デジタル・ベースバンド信号４５）に変換する。サンプル４７の非同期送信は、共通の時間基準を用いることによって、可能になる。サンプル４７には、交換網３５によって提供される非同期接続を経由して送られる前に、それぞれそれらの予定された送信時刻またはそれらの正確な受信時刻を用いて、タイムスタンプが付される。ゲートウェイ３３は、タイムスタンプ５３を用いて、サンプル４７の同期フロー、すなわち、デジタル・ベースバンド信号４５を再生する。
【図１】
2015529028.tif 000003
【図２】
2015529028.tif 000004
【図３】
2015529028.tif 000005
【図４】
2015529028.tif 000006
【図５】
2015529028.tif 000007
【図６】
2015529028.tif 000008
【国際調査報告】
2015529028.tif 000009
2015529028.tif 000010
2015529028.tif 000011